(57)【要約】【課題】  蟻溝に吊りボルトを支持させられることはもとより、簡単な構成により低コスト化でき、迅速かつ簡単に取り付けられるとともに、容易に取り外すこともできる蟻溝用吊りボルト支持具を提供する。【解決手段】  ボルト５を螺合させる雌ねじ孔２１が形成された掛止具本体２を有しており、この掛止具本体２の側面には蟻溝４に掛止される一対の掛止凸部３，３を備え、掛止凸部３の一方または両方が、掛止具本体２の側面から雌ねじ孔２１まで貫通されてなる収容孔２４に収容されているとともに、掛止具本体２の側面から外側に突出して蟻溝４に掛止する掛止突出片３２として構成されている。【選択図】  図２
2012158943.tif 000002
【特許請求の範囲】
【請求項１】
ボルトを螺合させる雌ねじ孔が形成された掛止具本体を有しており、この掛止具本体の側面には蟻溝に掛止される一対の掛止凸部を備え、前記掛止凸部の一方または両方が、前記掛止具本体の側面から前記雌ねじ孔まで貫通されてなる収容孔に収容されているとともに、前記掛止具本体の側面から外側に突出して前記蟻溝に掛止する掛止突出片として構成されている蟻溝用吊りボルト支持具。
【請求項２】
前記雌ねじ孔は前記掛止具本体の上下方向に形成されており、前記収容孔は前記掛止具本体の側面上部から前記雌ねじ孔まで斜め下方に傾斜されて形成されている請求項１に記載の蟻溝用吊りボルト支持具。
【発明の詳細な説明】
【技術分野】
【０００１】
本発明は、デッキプレート等に形成された蟻溝に吊りボルトを支持させるのに好適な蟻溝用吊りボルト支持具に関するものである。
【背景技術】
【０００２】
従来、デッキプレート等に吊りボルト等を支持させるための技術が提案されている。例えば、実開平５−５４７０１号公報には、デッキプレートに予め貫通孔を形成し、この貫通孔の上方に吊りボルトを螺合させるためのインサート金物を配置する構造が開示されている（特許文献１）。
【０００３】
また、デッキプレートの蟻溝に吊りボルト等を支持させるものとして、特公平７−９１０７号公報には、吊杆部材が螺合するねじ孔を備えた係止具本体と、該係止具本体に付設した回り止め用板ばねとからなる係止具が開示されている（特許文献２）。前記係止具本体は、長さ方向の両端部に傾斜面が設けられると共に、ねじ孔の直径方向に相対向する両端角部に円錐状の切欠曲面部が設けられている。一方、前記回り止め用板ばねは、係止具本体の長さ方向に対し直交して延びる回り止め片を有し、係止具本体を蟻溝に挿入して約９０度回転させたとき、回り止め片が蟻溝に嵌り込んで係止されるようになっている。
【先行技術文献】
【特許文献】
【０００４】
【特許文献１】実開平５−５４７０１号公報
【特許文献２】特公平７−９１０７号公報
【発明の概要】
【発明が解決しようとする課題】
【０００５】
しかしながら、特許文献１に記載された発明においては、デッキプレートに貫通孔を形成しなければならないため、作業性が悪い上、デッキプレートの強度を低下させてしまうという問題がある。また、予めインサート金物を取り付ける必要があるため、手間や時間がかかる上、部品点数が多くなりコストが高くなってしまうという問題がある。
【０００６】
一方、特許文献２に記載された発明においては、蟻溝に取り付ける際、吊りボルトを上方に押圧し、回り止め片を弾性変形させながら回転させなければならないため、効率よく取り付けるにはある程度の腕力と熟練を必要とする。また、取り付けた後は、回り止め片が蟻溝内に嵌り込み、回転させられなくなるため、不要になったとしても取り外せない。もちろん再利用することも難しい。
【０００７】
本発明は、このような問題点を解決するためになされたものであって、蟻溝に吊りボルトを支持させられることはもとより、簡単な構成により低コスト化でき、迅速かつ簡単に取り付けられるとともに、容易に取り外すこともできる蟻溝用吊りボルト支持具を提供することを目的としている。
【課題を解決するための手段】
【０００８】
本発明に係る蟻溝用吊りボルト支持具は、ボルトを螺合させる雌ねじ孔が形成された掛止具本体を有しており、この掛止具本体の側面には蟻溝に掛止される一対の掛止凸部を備え、前記掛止凸部の一方または両方が、前記掛止具本体の側面から前記雌ねじ孔まで貫通されてなる収容孔に収容されているとともに、前記掛止具本体の側面から外側に突出して前記蟻溝に掛止する掛止突出片として構成されている。
【０００９】
また、本発明の一態様として、前記雌ねじ孔は前記掛止具本体の上下方向に形成されており、前記収容孔は前記掛止具本体の側面上部から前記雌ねじ孔まで斜め下方に傾斜されて形成されていてもよい。
【発明の効果】
【００１０】
本発明によれば、蟻溝に吊りボルトを支持させられることはもとより、簡単な構成により低コスト化でき、迅速かつ簡単に取り付けられるとともに、容易に取り外すこともできる。
【図面の簡単な説明】
【００１１】
【図１】本発明に係る蟻溝用吊りボルト支持具の第１実施形態を示す斜視図である。
【図２】第１実施形態の蟻溝用吊りボルト支持具を示す平面図である。
【図３】図２における３Ａ−３Ａ線断面図である。
【図４】（ａ）第１実施形態の蟻溝用吊りボルト支持具を蟻溝内に差し込む様子を示す図、（ｂ）掛止突出片を蟻溝内に突出させる様子を示す一部断面図、および（ｃ）蟻溝用吊りボルト支持具を蟻溝に掛止させた状態を示す図である。
【図５】本発明に係る蟻溝用吊りボルト支持具の第２実施形態を示す（ａ）正面図、および（ｂ）平面図である。
【図６】第２実施形態の蟻溝用吊りボルト支持具を蟻溝に掛止させた状態を示す（ａ）平面図、および（ｂ）６Ｂ−６Ｂ線断面図である。
【図７】第２実施形態の変形例に係る蟻溝用吊りボルト支持具を蟻溝に掛止させた状態を示す（ａ）断面図、および（ｂ）掛止突出片が収容位置にある状態の７Ａ−７Ａ線断面図である。
【発明を実施するための形態】
【００１２】
以下、本発明に係る蟻溝用吊りボルト支持具１Ａの第１実施形態について図面を用いて説明する。
【００１３】
なお、蟻溝とは、一般的には例えばデッキプレートに形成されている溝等をいうが、本発明では、そのようなデッキプレートの溝の他、図４および図６に示すように、溝口の幅よりも溝底の幅が大きく形成されている全ての溝を含む概念である。また、本発明において、吊りボルトとは、配管やダクト、空調機器等の各種機器、あるいは鉄骨材や天井材等を吊り下げるために用いられるものに限定されるものではなく、ボルトヘッドを有する通常のボルトをも含む概念である。
【００１４】
本第１実施形態の蟻溝用吊りボルト支持具１Ａは、図１から図３に示すように、ボルト５を螺合させる雌ねじ孔２１が形成された掛止具本体２を有しており、この掛止具本体２の側面には、蟻溝４に掛止される一対の掛止凸部３，３が設けられている。以下、各構成部について詳細に説明する。
【００１５】
掛止具本体２は、ステンレス鋼等によって形成されており、吊りボルト５等のボルト５を螺合させる雌ねじ孔２１を有している。また、図１から図３に示すように、掛止具本体２の一側面とこの一側面とは略反対側の他側面には、一対の掛止凸部３，３が設けられている。さらに、掛止具本体２は、上端縁部に面取り部２２を有しており、蟻溝４内に差し込みやすくなっている。
【００１６】
なお、本第１実施形態では、雌ねじ孔２１が掛止具本体２の上下方向に貫通されているが、この構成に限定されるものではない。例えば、雌ねじ孔２１の上端部を貫通させない構成とし、吊りボルト５を螺合させた状態で掛止させるようにしてもよい。また、掛止具本体２は略直方体状に形成されているが、他の多角柱体に形成されていてもよいし、後述するように円柱体等に形成されていてもよい。
【００１７】
一対の掛止凸部３，３は、蟻溝４に掛止する役割を果たすものである。本第１実施形態において、一方の掛止凸部３は、図１から図３に示すように、掛止具本体２の一側面から突出された形状に形成されており、蟻溝４の内側面に沿う傾斜面３１を有している。なお、本第１実施形態では、掛止具本体２の強度を保つため、当該掛止凸部３の下方に補強凸部２３を残しているが、この補強凸部２３はなくてもよい。
【００１８】
一方、他方の掛止凸部３は、図２および図３に示すように、掛止具本体２の側面から雌ねじ孔２１まで貫通された収容孔２４に収容されているとともに、掛止具本体２の側面から進退可能に構成されており、前記側面から突出した際に蟻溝４に掛止可能な掛止突出片３２として構成されている。なお、本第１実施形態では、一対の掛止凸部３，３のうち、他方の掛止凸部３のみを掛止突出片３２によって構成しているが、両方の掛止凸部３を掛止突出片３２により構成してもよい。
【００１９】
掛止具本体２の収容孔２４は、掛止突出片３２を進退可能に収容するためのものである。具体的には、図２および図３に示すように、収容孔２４は、掛止具本体２の他側面から雌ねじ孔２１にかけて貫通されている。また、本第１実施形態では、収容孔２４の軸線が、掛止具本体２の側面上部から雌ねじ孔２１まで斜め下方に傾斜されて形成されている。このため、通常状態において、掛止突出片３２が自重によって、後述する収容位置に収容されるようになっている。
【００２０】
なお、本第１実施形態では、収容孔２４が斜め下方に傾斜されているが、この構成に限定されるものではない。後述するように、雌ねじ孔２１に螺合されたボルト５の押圧力によって、掛止突出片３２が収容孔２４内を外側へ移動し掛止具本体２の側面から外方へ突出しうる構成であれば、収容孔２４の軸線は水平方向であってもよい。
【００２１】
掛止突出片３２は、掛止具本体２の側面から外側に突出して蟻溝４に掛止するものである。本第１実施形態において、掛止突出片３２は、ステンレス鋼等によって断面円形に形成されており、収容孔２４内に収容されている。また、掛止突出片３２は、図２および図３に示すように、先端部が蟻溝４の内側面に沿うテーパ面を備えた略円錐台形状に形成されているとともに、後端部は略円錐形状に形成されている。
【００２２】
また、掛止突出片３２は、図３に示すように、吊りボルト５等のボルト５から押圧力を受けていない通常状態では、その先端部が掛止具本体２の側面から引っ込んでおり、その後端部が雌ねじ孔２１内に突出した収容位置に収容されている。一方、雌ねじ孔２１に螺合されたボルト５から後端部に押圧力を受けると、収容孔２４内を外側へ移動し、その先端部が掛止具本体２の側面から突出した突出位置で保持されるようになっている。
【００２３】
なお、本第１実施形態では、図２に示すように、収容孔２４の軸線２４ａが、雌ねじ孔２１の軸線２１ａと交差しないようにずらされている。このため、収容孔２４の後端部の一部が、掛止突出片３２の後端部と当接して所定の収容位置で保持する保持部２５として機能する。この保持部２５は、掛止突出片３２を移動させ始める際、ボルト５からの押圧力を伝達しやすい位置で掛止突出片３２を保持するようになっている。
【００２４】
また、本第１実施形態では、掛止突出片３２の先端部が略円錐台形状に形成され、後端部が略円錐形状に形成されているが、この形状に限定されるものではない。先端部は、蟻溝４の内側面に掛止しうる形状であればよいし、その内側面に沿って掛止しうる傾斜面を有する形状であればさらによい。また、後端部は、ボルト５からの押動力を掛止突出片３２が収容孔２４内を移動する力へ変えうる形状であれば、半球形状等であってもよい。
【００２５】
なお、本第１実施形態では、掛止突出片３２が収容孔２４から外に脱落するのを防止するため、収容孔２４内に掛止突出片３２を収容させた後、収容孔２４の周縁部をポンチ加工等によりカシメて出口を狭めている。また、掛止具本体２や掛止突出片３２は、ステンレス鋼製に限定されるものではなく、必要に応じて粉末合金や樹脂材料等によって形成してもよく、製造方法も特に限定されるものではない。
【００２６】
つぎに、以上の構成を備えた本第１実施形態の蟻溝用吊りボルト支持具１Ａによる作用について、図面を用いて説明する。
【００２７】
なお、本第１実施形態では、図４に示すように、デッキプレート６の蟻溝４に対して、蟻溝用吊りボルト支持具１Ａを用いて吊りボルト５を支持させる場合について説明する。
【００２８】
まず、掛止具本体２の雌ねじ孔２１に吊りボルト５を軽く螺合させた後、図４（ａ）に示すように、当該吊りボルト５を持って、掛止具本体２の一側面側の掛止凸部３を蟻溝４内に差し込む。そして、当該吊りボルト５の軸線をデッキプレート６に対して略垂直となる方向へ移動させ、蟻溝４内に挿入する。このとき、掛止具本体２の他側面側の掛止突出片３２は、斜め下向きの収容孔２４内において自重によって下方の収容位置に止まっており、掛止具本体２の他側面から引っ込んでいるので邪魔にならない。
【００２９】
また、本第１実施形態では、蟻溝４の長手方向の長さ以下の範囲内であれば、掛止具本体２の縦幅（図２における上下幅）を大きくしても蟻溝４内に差し込めるため、掛止具本体２の強度を大幅に高められる。また、本第１実施形態では、掛止具本体２の一側面に補強凸部２３を残している他、面取り部２２が掛止具本体２を挿入し易くして掛止具本体２の横幅（図２における左右幅）を最大限に確保できるため、さらに掛止具本体２の強度を向上させられる。
【００３０】
つぎに、図４（ｂ）に示すように、吊りボルト５を雌ねじ孔２１にねじ込むと、前記吊りボルト５の上端部が掛止突出片３２の後端部を押し上げ、その掛止突出片３２を収容孔２４に沿って斜め上方へ移動させる。このとき、掛止突出片３２の後端部が略円錐形状に形成されているとともに、保持部２５によって掛止突出片３２を押し上げやすい位置に保持しているため、掛止突出片３２は、吊りボルト５から上向きの押圧力を受けて、軽い力でスムーズに移動を開始する。
【００３１】
吊りボルト５をさらにねじ込むと、図４（ｃ）に示すように、当該吊りボルト５によって収容孔２４の後端側が塞がれるので、掛止突出片３２が掛止具本体２の他側面から突出した突出位置に保持され、蟻溝４に掛止される。これにより、一側面側の掛止凸部３と他側面側の掛止突出片３２とがそれぞれ蟻溝４に掛止するため、蟻溝用吊りボルト支持具１Ａが蟻溝４に掛止され、吊りボルト５を支持した状態で固定される。このとき、掛止凸部３および掛止突出片３２の先端部が、蟻溝４の内側面に沿う傾斜面で掛止されるため掛止力が向上している。また、この仮締め状態では、蟻溝用吊りボルト支持具１Ａを蟻溝４の長手方向に沿って移動させられるため、取り付け位置の微調整が容易である。
【００３２】
なお、本第１実施形態では、吊りボルト５をさらにねじ込んで雌ねじ孔２１を貫通させている。これにより、吊りボルト５の先端が蟻溝４の溝底を押圧し、その反力で一側面側の掛止凸部３および他側面側の掛止突出片３２が、それぞれ蟻溝４の内側面に強く押圧されるため、掛止力をさらに向上させられる。
【００３３】
一方、蟻溝用吊りボルト支持具１Ａを蟻溝４から取り外す場合、吊りボルト５を掛止突出片３２と接触しなくなるまで緩めるだけでよい。これにより、吊りボルト５により突出位置に保持されていた掛止突出片３２が、自重により収容孔２４内を下降して収容位置に戻るため、掛止状態が解除される。そして、取り付け時とは逆方向に吊りボルト５を移動させると、一側面側の掛止凸部３が蟻溝４から抜けるため容易に取り外しが完了する。
【００３４】
以上のような本第１実施形態の蟻溝用吊りボルト支持具１Ａによれば、以下のような効果を奏する。
１．デッキプレート６等への穿孔作業が不要であり、一側面側の掛止凸部３を蟻溝４内に差し込み、ボルト５を締め付けるだけで、迅速かつ簡単に蟻溝４に支持させることができる。
２．従来のインサート金物等が不要であり、少ない部品点数で構成されるため、コストを低減することができる。
３．蟻溝４の溝幅に制限されることなく、掛止具本体２の強度を向上することができる。
４．一旦、蟻溝４に掛止させた後でも、容易に取り外し、再利用も可能である。
５．高所に設けられたデッキプレート６等の蟻溝４に対しても、吊りボルト５を強力に支持させることができる。
６．支持させた吊りボルト５を介して、軽量の天井材や軽設備のみならず、重量のある天井材、各種機器および配管等を吊り下げることができる。
７．仮締め状態では、蟻溝４の長手方向に沿って移動でき、簡単に取り付け位置を微調整することができる。
【００３５】
つぎに、本発明に係る蟻溝用吊りボルト支持具の第２実施形態について説明する。なお、本第２実施形態の構成のうち、上述した第１実施形態の構成と同等または相当する構成については同一の符号を付し、再度の説明を省略する。
【００３６】
本第２実施形態の蟻溝用吊りボルト支持具１Ｂは、図５に示すように、掛止具本体２が略円柱形状に形成されており、一対の掛止凸部３，３の双方が、掛止突出片３２によって構成されている。
【００３７】
具体的には、図５および図６に示すように、掛止具本体２の側面と、この側面と略反対側の側面には、略水平方向に一対の収容孔２４，２４が形成されている。各収容孔２４，２４の軸線２４ａ，２４ａは、図５（ｂ）に示すように、雌ねじ孔２１の軸線２１ａに関して略対称に形成されており、各掛止突出片３２，３２の後端部が、互いに接触しないように構成されている。
【００３８】
つぎに、以上の構成を備えた本第２実施形態の蟻溝用吊りボルト支持具１Ｂによる作用について、図面を用いて説明する。なお、本第２実施形態では、図６（ｂ）に示すように、上向きに開口されたアンダーカット形状の蟻溝４にボルト５を支持させる場合について説明するが、もとより第１実施形態で説明したデッキプレート６の蟻溝４にも使用可能である。
【００３９】
まず、掛止具本体２の雌ねじ孔２１にボルト５を軽く螺合させた後、当該ボルト５を持って掛止具本体２を蟻溝４内に上方から挿入する。このとき、各掛止突出片３２，３２が収容孔２４内に収容されており、掛止具本体２の側面から突出していないので邪魔にならない。
【００４０】
つぎに、ボルト５を雌ねじ孔２１にねじ込むと、図６（ａ），（ｂ）に示すように、螺合させたボルト５の先端部が、各掛止突出片３２，３２の後端部を押圧し、当該掛止突出片３２，３２を収容孔２４に沿って水平方向へ押し出す。このとき、掛止突出片３２，３２の後端部が略円錐形状に形成されているため、ボルト５からの下向きの押圧力が、収容孔２４に沿う横向きの押し出す力に変換され、軽い力でスムーズに移動を開始する。
【００４１】
ボルト５をさらにねじ込むと、図６（ａ），（ｂ）に示すように、ボルト５によって各収容孔２４の後端側を塞ぐため、各掛止突出片３２，３２が掛止具本体２の両側面から突出した突出位置に保持され、蟻溝４に掛止される。これにより、蟻溝用吊りボルト支持具１Ｂが蟻溝４に掛止し、ボルト５を支持した状態で固定される。また、ボルト５をさらにねじ込んで雌ねじ孔２１を貫通させると、ボルト５の先端が蟻溝４の溝底を押圧し、その反力で各掛止突出片３２，３２が、それぞれ蟻溝４の内側面に強く押圧されるため、掛止力がさらに向上する。
【００４２】
一方、蟻溝用吊りボルト支持具１Ｂを蟻溝４から取り外す場合、ボルト５を掛止突出片３２，３２と接触しなくなるまで緩めた後、当該ボルト５を引っ張るだけでよい。これにより、ボルト５により突出位置に保持されていた掛止突出片３２，３２が、蟻溝４の内側面に摺動しながら収容孔２４内に引き込んで収容位置に戻る。このため、掛止状態が解除され、蟻溝４から簡単に引き抜かれることとなる。
【００４３】
以上のような本第２実施形態によれば、第１実施形態とほぼ同等の作用効果を奏する他、上向きに開口されたアンダーカット形状の蟻溝４に対してもボルト５を支持させることができる。
【００４４】
なお、本発明に係る蟻溝用吊りボルト支持具は、前述した各実施形態に限定されるものではなく、適宜変更することができる。
【００４５】
例えば、上述した各実施形態では、平面視略直線状の蟻溝４に掛止させる場合について説明したが、このような蟻溝４に限定されるものではなく、第２実施形態の蟻溝用吊りボルト支持具１Ｂであれば、図７に示すように、平面視略円形状の蟻溝４に掛止させることもできる。
【００４６】
また、上述した第２実施形態では、各収容孔２４，２４が略水平方向に形成されているが、この構成に限定されるものではなく、第１実施形態と同様、斜め下方に傾斜させてもよい。換言すれば、第１実施形態において一対の掛止凸部３，３を両方とも掛止突出片３２，３２として構成してもよい。これにより、図７（ａ）に示すように、下向きに開口された蟻溝４に使用する場合、通常状態では、各掛止突出片３２，３２が収容位置に収容され作業性が向上する。
【符号の説明】
【００４７】
１Ａ，１Ｂ  蟻溝用吊りボルト支持具
２  掛止具本体
３  掛止凸部
４  蟻溝
５  吊りボルト（ボルト）
６  デッキプレート
２１  雌ねじ孔
２１ａ  雌ねじ孔の軸線
２２  面取り部
２３  補強凸部
２４  収容孔
２４ａ  収容孔の軸線
２５  保持部
３１  傾斜面
３２  掛止突出片
【図１】
2012158943.tif 000003
【図２】
2012158943.tif 000004
【図３】
2012158943.tif 000005
【図４】
2012158943.tif 000006
【図５】
2012158943.tif 000007
【図６】
2012158943.tif 000008
【図７】
2012158943.tif 000009